(57)【要約】本発明は、カラービデオ信号、とりわけフィルムスキャナにより発生されるカラービデオ信号の補正のための装置に関する。本発明の装置は、マトリクスを有し、このマトリクスはカラービデオ信号によって通過され、マトリクスによってマトリクス化された色値信号における三原色の成分が制御可能である。本発明は前記カラービデオ信号がそれぞれ表す色相に依存してマトリクスを制御するための手段が設けられている。
2005538474.tif 000002
【特許請求の範囲】
【請求項１】
カラービデオ信号、とりわけフィルムスキャナにより発生されるカラービデオ信号の補正のための装置であって、マトリクス（１６）を有し、該マトリクス（１６）はカラービデオ信号によって通過され、前記マトリクス（１６）によってマトリクス化された色値信号における三原色の成分が制御可能である、カラービデオ信号、とりわけフィルムスキャナにより発生されるカラービデオ信号の補正のための装置において、
前記カラービデオ信号がそれぞれ表す色相に依存してマトリクス（１６）を制御するための手段（３１〜３９）が設けられていることを特徴とする、カラービデオ信号、とりわけフィルムスキャナにより発生されるカラービデオ信号の補正のための装置。
【請求項２】
予め色相に依存して調整されたマトリクス（１６）の係数を格納するためのメモリ（３１）が設けられていることを特徴とする、請求項１記載の装置。
【請求項３】
マトリクス（１６）の係数に対する予め色相に依存して調整される補正値を格納するためのメモリ（３１）が設けられていることを特徴とする、請求項１記載の装置。
【請求項４】
低い彩度において補正の作用を低減するための手段（３２、３４）が設けられていることを特徴とする、請求項１〜３のうちの１項記載の装置。
【請求項５】
カラービデオ信号から色相信号を発生するための変換器（３３、３４）がその出力側によってメモリ（３１）のアドレス入力側に接続されていることを特徴とする、請求項２〜４のうちの１項記載の装置。
【請求項６】
変換器（３３、３４）は彩度信号を伝える更に別の出力側を有し、該更に別の出力側は乗算器（３２）に接続されており、該乗算器（３２）はマトリクス（１６）の補正値の供給線路に配置されていることを特徴とする、請求項５記載の装置。
【請求項７】
カラービデオ信号は色値信号として存在する、請求項５又は６記載の装置において、
変換器は色差信号を発生するための変換器マトリクス（３３）及び座標変換器（３４）から成ることを特徴とする、カラービデオ信号は色値信号として存在する、請求項５又は６記載の装置。
【請求項８】
マトリクス（１６）は９つの更に別の乗算器（４〜１２）及び３つの加算器（１３、１４、１５）を有し、各々９つの更に別の乗算器（４〜１２）は前記加算器（１３、１４、１５）の入力側に接続されており、９つの更に別の乗算器（４〜１２）には色値信号として供給される３つのカラービデオ信号が印加され、
メモリ（３１）のうちの１つから前記更に別の乗算器（４〜１２）のそれぞれに補正値／係数は供給されることを特徴とする、請求項５〜７のうちの１項記載の装置。
【請求項９】
補正値はコンピュータ（３９）からメモリ（３１）にロードされ、
前記コンピュータ（３９）は補正値を調整するためのプログラムを有することを特徴とする、請求項２〜８のうちの１項記載の装置。
【請求項１０】
補正値の手動調整が設けられていることを特徴とする、請求項９記載の装置。
【請求項１１】
テストフィルムをスキャンし、スキャンされた値と目標値との比較による補正値の自動的な決定が設けられていることを特徴とする、請求項９又は１０記載の装置。
【請求項１２】
支点のための補正値の決定及び補間による更に別の色相値のための補正値の獲得が設けられていることを特徴とする、請求項１０又は１１に記載の装置。
【請求項１３】
マトリクス（１６）にロガリスマイザ（１７、１８、１９）が前置接続され、さらにデロガリスマイザが後置接続されていることを特徴とする、請求項１〜１２のうちの１項記載の装置。
【請求項１４】
メモリ（３１）に格納された補正値はさらに調整可能なやり方で彩度に依存することを特徴とする、請求項１〜１３のうちの１項記載の装置。
【発明の詳細な説明】
【技術分野】
【０００１】
本発明は、カラービデオ信号、とりわけフィルムスキャナにより発生されるカラービデオ信号の補正のための装置であって、マトリクスを有し、このマトリクスはカラービデオ信号によって通過され、マトリクスによってマトリクス化された色値信号における三原色の成分が制御可能である、カラービデオ信号、とりわけフィルムスキャナにより発生されるカラービデオ信号の補正のための装置に関する。
【０００２】
本発明の背景
光学的原稿からのカラービデオ信号の発生において、例えばフィルムのスキャニングにおいて、とりわけ色誤差は、フィルタ曲線が色分解において理想曲線と一致しないことによって発生する。これらの誤差は色値信号のマトリクス化によって十分補正できる。この場合、マトリクスの係数は手動で再生画像を観察しながら調整される。
【０００３】
しかし、残留する一般的にかすかな色劣化は同一の原稿が２つの異なる撮影機器によってスキャンされる場合、とりわけ同一のフィルムが２つの異なるフィルムスキャナによって再生される場合にとりわけ目立つ。
【０００４】
本発明の説明
本発明の装置は、カラービデオ信号がそれぞれ表す色相に依存してマトリクスを制御するための手段が設けられていることを特徴とする。本発明の装置によって、同一のフィルムが異なる機器によるスキャニングにおいて同一の色印象をもたらすように、カラービデオ信号の精確な補正が可能である。
【０００５】
本発明の有利な実施形態では、予め色相に依存して調整されたマトリクスの係数又はマトリクスの係数のための補正値を格納するためのメモリが設けられている。
【０００６】
低い彩度を有する画素のノイズ影響及び過度の補正を回避するために、本発明の実施形態では、低い彩度において補正の作用を低減するための手段が設けられている。
【０００７】
本発明の更に別の有利な実施形態では、カラービデオ信号から色相信号を発生するための変換器がその出力側によってそれぞれマトリクスに供給すべき補正値のためのメモリのアドレス入力側に接続されている。この場合、低い彩度における制御の作用の低減は、変換器が彩度信号を伝える更に別の出力側を有し、この更に別の出力側は乗算器に接続されており、この乗算器はマトリクスの補正値の供給線路に配置されていることによって実現される。
【０００８】
通常はカラービデオ信号は色値信号として存在し、このために、本発明の装置では、変換器は色差信号を発生するための変換器マトリクス及び座標変換器から成る。
【０００９】
本発明の他の有利な実施形態では、マトリクスは９つの更に別の乗算器及び３つの加算器を有し、それぞれこれらの９つの更に別の乗算器は加算器の入力側に接続されており、それぞれこれらの９つの更に別の乗算器にはこれらに色値信号として供給される３つのカラービデオ信号が印加され、メモリのうちの１つからこれらの更に別の乗算器のそれぞれに補正値／係数は供給される。
【００１０】
補正の調整のために、有利には、補正値はコンピュータからメモリにロードされ、コンピュータは係数を調整するためのプログラムを有する。コンピュータには相応のインプットデバイス、例えば回転調整器が設けられ、これらのインプットデバイスはそれぞれ補正すべき色相の選択及び補正の大きさ及び方向の調整を容易にする。
【００１１】
この実施形態は、補正値の手動調整及び／又はテストフィルムをスキャンしスキャンされた値と目標値との比較によって補正値の自動的な決定が設けられているように構成される。この場合、支点のための補正値の決定及び補間による更に別の色相値のための補正値の獲得が設けられている。
【００１２】
非線形フィルム濃度の考慮は、本発明の別の実施形態において、マトリクスにロガリスマイザ（logarithmizer）が前置接続され、さらにデロガリスマイザ（delogarithmizer）が後置接続されていることによって可能である。
【００１３】
カラーチャネルにおける異なる非線形性を考慮するために、本発明の装置では、メモリに格納された補正値はさらに調整可能なやり方で彩度に依存する。
【００１４】
図面の短い記述
本発明の実施例を図面に図示し、以下の記述において詳しく説明する。
【００１５】
図１は色相環を概略的に示し、
図２は本発明の装置のブロック回路図を示す。
【００１６】
実施例の記述
それ自体は公知の図１による色の表示では、各々の色Ｆはベクトルによって示され、このベクトルの大きさは彩度に相応し、このベクトルの角度は色相に相応する。色相環は表示可能な全ての色、とりわけ原色Ｒ、Ｇ、Ｂ及びそれらの間にある色Ｙｅ、Ｍａ、Ｃｙ（イエロー、マゼンタ、シアン）を含む。本発明の装置によって各色相ごとに補正が調整され、実施される。これは例えば２つの矢印ｒ及びｙによって図１では示されている。この補正は図２に図示された装置によって実施される。さらに補正において彩度を考慮するならば、異なる彩度値に対して異なる補正が調整されうる。これは図１には色Ｆ１〜Ｆ３及び補正を示す矢印に基づいてシンボリックに示されている。
【００１７】
図２の装置には入力側１、２、３を介して色値信号Ｒ、Ｇ、Ｂが供給される。補正はマトリクスにおいて行われ、このマトリクスは乗算器４〜１２及び加算器１３、１４、１５から成る。フィルム濃度の非線形特性に適応するために、マトリクス１６にはロガリスマイザ１７、１８、１９が前置接続され、デロガリスマイザ２０、２１、２２が後置接続されている。
【００１８】
補正においてはデジタルビデオ信号の予め設定された値域よりも大きな信号が生じうるので、マトリクス１６にはさらに制限器２３、２４、２５が後置接続され、これらの制限器はビデオ信号をそれぞれの量子化に起因する最大値に制限する。出力側２６、２７、２８からは補正された色値信号が取り出される。マトリクス１６は次のような連立方程式を写像する：
Ｒｋ＝Ｒ．Ｋｒｒ＋Ｇ．Ｋｇｒ＋Ｂ．Ｋｂｒ
Ｇｋ＝Ｒ．Ｋｒｇ＋Ｇ．Ｋｇｇ＋Ｂ．Ｋｂｇ
Ｂｋ＝Ｒ．Ｋｒｂ＋Ｇ．Ｋｇｂ＋Ｂ．Ｋｂｂ
係数に対する補正値Ｋｒｒ、Ｋｒｇ、Ｋｒｂ、Ｋｇｒ、Ｋｇｇ、Ｋｇｂ、Ｋｂｒ、Ｋｂｇ、Ｋｂｂは９つのメモリ３１に格納されている。メモリ３１の出力側はそれぞれ乗算器３２のうちの１つを介してマトリクス１６の乗算器４〜１２の入力側に接続されている。
【００１９】
補正値がメモリ３１から色相に依存して読み出されるように、色値信号Ｒ、Ｇ、Ｂは変換器マトリクス３３においてまず最初に色差信号ＣＢ、ＣＲに変換される。これらは次いでデカルト座標から極座標に適当な変換器３４において変換される。この場合、角度は色相Ｈであり、大きさは彩度Ｓである。色相Ｈは１２ビット幅信号としてメモリ３１のアドレス入力側に供給される。彩度信号Ｓは、同様に１２ビット幅であるが、スイッチ３５を介して乗算器３２に供給され、この結果、メモリ３１から読み出される補正値は小さな彩度において低減される。
【００２０】
メモリ３１から読み出された補正値は１０ビットの幅を有し、正及び負の値をとりうる。乗算器３２の出力信号は１２ビットの幅を有し、正負の符号は同じである。補正値ｋｒｒ、ｋｇｇ及びｋｂｂには乗算の後で３６、３７、３８においてそれぞれ値２０４８が係数を形成するために加算され、他方でその他の補正値はダイレクトに係数として使用される。これによって、補正値自体がゼロであるか又はゼロと乗算される場合に、マトリクス１６が単位マトリクスとして動作されることが保証される。色値信号はその後変更なしにマトリクスを通過する。
【図面の簡単な説明】
【００２１】
【図１】色相環を概略的に示す。
【図２】本発明の装置のブロック回路図を示す。
【符号の説明】
【００２２】
ｒ、ｙ  補正値
１  色値信号Ｒの入力側
２  色値信号Ｇの入力側
３  色値信号Ｂの入力側
４〜１２  乗算器
１３〜１５  加算器
１６  マトリクス
１７〜１９  ロガリスマイザ
２０〜２２  デロガリスマイザ
２３〜２５  制限器
２６〜２８  出力側
３１  補正値格納用メモリ
３２  乗算器
３３  変換器マトリクス
３４  座標変換器
３５  スイッチ
３６〜３８  ２０４８の加算器
３９  コンピュータ
Ｈ  色相
Ｓ  彩度
Ｋｒｒ、Ｋｒｇ、Ｋｒｂ、Ｋｇｒ、Ｋｇｇ、Ｋｇｂ、Ｋｂｒ、Ｋｂｇ、Ｋｂｂ  補正値
Ｆ１、Ｆ２、Ｆ３  色
【図１】
2005538474.tif 000003
【図２】
2005538474.tif 000004
【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
カラービデオ信号、とりわけフィルムスキャナにより発生されるカラービデオ信号の補正のための装置であって、マトリクス（１６）を有し、該マトリクス（１６）はカラービデオ信号によって通過され、前記マトリクス（１６）によってマトリクス化された色値信号における三原色の成分が制御可能であり、前記カラービデオ信号がそれぞれ表す色相に依存してマトリクス（１６）を制御するための手段（３１〜３９）が設けられている、カラービデオ信号、とりわけフィルムスキャナにより発生されるカラービデオ信号の補正のための装置において、
低い彩度において補正の作用を低減するための手段（３２、３４）が設けられていることを特徴とする、カラービデオ信号、とりわけフィルムスキャナにより発生されるカラービデオ信号の補正のための装置。
【請求項２】
予め色相に依存して調整されるマトリクス（１６）の係数を格納するためのメモリ（３１）が設けられていることを特徴とする、請求項１記載の装置。
【請求項３】
マトリクス（１６）の係数に対する予め色相に依存して調整された補正値を格納するためのメモリ（３１）が設けられていることを特徴とする、請求項１記載の装置。
【請求項４】
カラービデオ信号から色相信号を発生するための変換器（３３、３４）がその出力側によってメモリ（３１）のアドレス入力側に接続されていることを特徴とする、請求項２又は３項記載の装置。
【請求項５】
変換器（３３、３４）は彩度信号を伝える更に別の出力側を有し、該更に別の出力側は乗算器（３２）に接続されており、該乗算器（３２）はマトリクス（１６）の補正値の供給線路に配置されていることを特徴とする、請求項４記載の装置。
【請求項６】
カラービデオ信号は色値信号として存在する、請求項４又は５記載の装置において、
変換器は色差信号を発生するための変換器マトリクス（３３）及び座標変換器（３４）から成ることを特徴とする、カラービデオ信号は色値信号として存在する、請求項４又は５記載の装置。
【請求項７】
マトリクス（１６）は９つの更に別の乗算器（４〜１２）及び３つの加算器（１３、１４、１５）を有し、各々９つの更に別の乗算器（４〜１２）は前記加算器（１３、１４、１５）の入力側に接続されており、９つの更に別の乗算器（４〜１２）には色値信号として供給される３つのカラービデオ信号が印加され、
補正値／係数はメモリ（３１）のうちの１つから前記更に別の乗算器（４〜１２）のそれぞれに供給されることを特徴とする、請求項４〜６のうちの１項記載の装置。
【請求項８】
補正値はコンピュータ（３９）からメモリ（３１）にロードされ、
前記コンピュータ（３９）は補正値を調整するためのプログラムを有することを特徴とする、請求項２〜７のうちの１項記載の装置。
【請求項９】
補正値の手動調整のための装置が設けられていることを特徴とする、請求項８記載の装置。
【請求項１０】
テストフィルムをスキャンし、スキャンされた値と目標値との比較による補正値の自動的な決定が設けられていることを特徴とする、請求項８又は９記載の装置。
【請求項１１】
マトリクス（１６）にロガリスマイザ（１７、１８、１９）が前置接続され、さらにデロガリスマイザが後置接続されていることを特徴とする、請求項１〜１０のうちの１項記載の装置。
【手続補正２】
【補正対象書類名】明細書
【補正対象項目名】０００１
【補正方法】変更
【補正の内容】
【０００１】
本発明は、カラービデオ信号、とりわけフィルムスキャナにより発生されるカラービデオ信号の補正のための装置であって、マトリクスを有し、このマトリクスはカラービデオ信号によって通過され、マトリクスによってマトリクス化された色値信号における三原色の成分が制御可能であり、カラービデオ信号がそれぞれ表す色相に依存してマトリクスを制御するための手段が設けられている、カラービデオ信号、とりわけフィルムスキャナにより発生されるカラービデオ信号の補正のための装置に関する。
【手続補正３】
【補正対象書類名】明細書
【補正対象項目名】０００３
【補正方法】変更
【補正の内容】
【０００３】
しかし、残留する一般的にかすかな色劣化は同一の原稿が２つの異なる撮影機器によってスキャンされる場合、とりわけ同一のフィルムが２つの異なるフィルムスキャナによって再生される場合にとりわけ目立つ。
ＵＳ−Ａ−５６６８５９６はイメージセンサにより発生されるカラービデオ信号を補正するための装置を開示している。この公知の装置では、イメージセンサに依存してマトリクスを制御するための手段が設けられている。イメージセンサに依存してマトリクスを調整するために使用される係数はメモリに格納されている。カラービデオ信号によりそれぞれ表される色相はイメージセンサに依存する。
【手続補正４】
【補正対象書類名】明細書
【補正対象項目名】０００４
【補正方法】変更
【補正の内容】
【０００４】
本発明の説明
本発明の装置は、低い彩度において補正の作用を低減するための手段が設けられていることを特徴とする。本発明の装置によって、同一のフィルムが異なる機器によるスキャニングにおいて同一の色印象をもたらすように、カラービデオ信号の精確な補正が可能である。こうして、低い彩度を有する画素のノイズ影響及び過度の補正がさらに回避される。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明の装置では、カラービデオ信号から色相信号を発生するための変換器がその出力側によってそれぞれマトリクスに供給すべき補正値のためのメモリのアドレス入力側に接続されている。この場合、低い彩度における制御の作用の低減は、変換器が彩度信号を伝える更に別の出力側を有し、この更に別の出力側は乗算器に接続されており、この乗算器はマトリクスの補正値の供給線路に配置されていることによって実現される。
【手続補正７】
【補正対象書類名】明細書
【補正対象項目名】００１１
【補正方法】変更
【補正の内容】
【００１１】
この実施形態は、補正値の手動調整及び／又はテストフィルムをスキャンしスキャンされた値と目標値との比較によって補正値の自動的な決定が設けられているように構成される。
【手続補正８】
【補正対象書類名】明細書
【補正対象項目名】００１３
【補正方法】削除
【補正の内容】
【国際調査報告】
2005538474.tif 000005
2005538474.tif 000006
2005538474.tif 000007
2005538474.tif 000008
2005538474.tif 000009
2005538474.tif 000010